(57)【要約】【課題】刈り取った枝葉の収集が容易なヘッジトリマを提供すること。【解決手段】上記目的を達成するために、ヘッジトリマ１に収集袋９を装着するための係止部７，８を設けた。また、ヘッジトリマ１のチップレシーバ２とハンドガード３にそれぞれ収集袋９を係止する係止部７，８を設けたことにより、ヘッジトリマ１の刈り刃６の長さ方向にそって収集袋９を開口するよう装着することができるとともに、ハンドガード３に収集袋９の一方の手提げ部９ａを係止することで、枝葉が収集された収集袋９の重みをヘッジトリマ１を把持している手元近くで受け止めることが可能となり、手に伝わる重み感を軽減できる。更に、チップレシーバ２に着脱可能な波状の取付バー１０を設けたので、収集袋９の手提げ部９ａの位置を自由に選ぶことができ、収集袋９の開口面積を調節することができる。【選択図】図２
2010148357.tif 000002
【特許請求の範囲】
【請求項１】
枝葉を収集する収集袋を装着できるように、収集袋の手提げ部を係止できる係止部を設けたことを特徴とするヘッジトリマ。
【請求項２】
該ヘッジトリマはチップレシーバとハンドガードを有し、該係止部が該チップレシーバと該ハンドガードに設けられることを特徴とする請求項１記載のヘッジトリマ。
【請求項３】
該チップレシーバの該係止部には該収集袋を係止する為の波状の取付バーが着脱可能に取り付けられることを特徴とする請求項２記載のヘッジトリマ。
【発明の詳細な説明】
【技術分野】
【０００１】
本発明は、ヘッジトリマにかかり、特に刈り取った枝葉を収集する枝葉収集機構を備えたヘッジトリマに関するものである。
【背景技術】
【０００２】
従来のヘッジトリマには刈り取った枝葉を収集する収集袋はなく、刈り取った枝葉を受け止める皿型状のチップレシーバがついているものがあった。また、特許文献１に開示された袋付きの茶刈鋏では袋を取り付ける袋取付枠が装着されていて、それに袋を取り付けることにより刈り取った茶葉を収集することができた。
【０００３】
【特許文献１】実公昭３６−１１２３１号公報
【発明の開示】
【発明が解決しようとする課題】
【０００４】
しかしながら、従来のヘッジトリマでは、生垣などの側面を刈り込むと、皿型状のチップレシーバでは刈り取った枝葉は地面に落ちることになり後片付けが面倒であった。また、特許文献１に開示された袋付きの茶刈鋏では、袋が不要な場合でも袋を取り付ける袋取付枠を簡単に取り外すことができず、操作性が悪いという問題があった。
【０００５】
本発明は、上記問題を解決するためになされたもので、収集袋および袋取付枠のような袋取付部材を、簡単に取り付けたり取り外したりすることができるヘッジトリマを提供することを目的とする。
【課題を解決するための手段】
【０００６】
上記目的を達成するために、請求項１の発明では、ヘッジトリマに収集袋を係止する係止部を設ける構成とした。請求項２の発明では、ヘッジトリマのチップレシーバに収集袋を係止する係止部を設け、ハンドガードにも同様な係止部を設ける構成とした。請求項３の発明では、チップレシーバの係止部に着脱可能な波状の取付バーを設ける構成とした。
【発明の効果】
【０００７】
請求項１の発明によれば、ヘッジトリマに収集袋を係止する係止部を設けたので、ヘッジトリマに収集袋を装着することができ、刈り取った枝葉を容易に収集することができるという効果がある。請求項２の発明によれば、ヘッジトリマのチップレシーバとハンドガードにそれぞれ収集袋を係止する係止部を設けたので、ヘッジトリマの刈り刃の長さ方向にそって収集袋を開口するよう装着することができるとともに、ハンドガードに収集袋の一方の手提げ部を係止することで、枝葉が収集された収集袋の重みをヘッジトリマを把持している手元近くで受け止めることが可能となり、手に伝わる重み感が軽減するという効果がある。請求項３の発明によれば、チップレシーバの係止部に着脱可能な波状の取付バーを設けたので、収集袋の大きさや枝葉の大きさ、形状によって、収集袋の手提げ部の位置を自由に選ぶことができ、更には、収集袋の開口面積を調節することができるという効果がある。
【発明を実施するための最良の形態】
【０００８】
以下に、本発明の第一の実施形態を図１に基づいて説明する。図１において、１は本発明にかかるヘッジトリマで、２は刈り取った枝葉を受け止めるチップレシーバ、３はヘッジトリマ１の操作者の手を守るハンドガード、４はヘッジトリマ１の本体であり、本体ハンドル４ａを備え、図示しないモータ等の駆動機構を内蔵している。５はヘッジトリマ１のフロントハンドルであり、６はヘッジトリマ１の刈り刃である。７はチップレシーバ２に設けた係止部、８はハンドガード３の側面に設けた係止部であり、これらの係止部に収集袋９の手提げ部９ａ、９ａを係止することにより収集袋９をヘッジトリマ１に装着することができる。刈り取った枝葉を収集する収集袋９は不要となったレジ袋などが利用できるので経済的である。
【０００９】
生垣の側面をヘッジトリマ１で刈る場合には、収集袋９をヘッジトリマ１に装着し、図１のようにヘッジトリマ１の刈り刃６を略垂直に立てて作業を行う。ハンドガード３の係止部８へ収集袋９の一方の手提げ部９ａを係止するには、ハンドガード３の係止部８の近傍に設けた孔８ａに刈り刃６側からヘッジトリマ１の本体４側に向って手提げ部９ａを通し、係止部８の両端の角部８ｂに手提げ部９ａの輪を掛けて収集袋９をヘッジトリマ１の本体４側に引っ張っればよい。収集袋９の開口面積を広くするためには、ハンドガード３の係止部８のＡで示す長さがある程度長い方がよい。
【００１０】
図１で示す本発明の第一の実施形態では、収集袋９の他方の手提げ部９ａはチップレシーバ２の係止部７に掛ける。このとき、係止部７はチップレシーバ２において刈り刃６の長手方向であってヘッジトリマ１の先端側の側面に設けられている。このように収集袋９をヘッジトリマ１へ装着することにより、刈り刃６の長手方向にそって略刈り刃６の長さに収集袋９を開口させることができ、刈り取られた枝葉はチップレシーバ２によって収集袋９の開口へ導かれ、収集袋９の中へ落下し収集される。
【００１１】
次に本発明の第二の実施形態を図２に基づいて説明する。尚、第一の実施形態と同じ部材には同一の符号を付しその説明を省略する。図２で示す本発明の第二の実施形態では、収集袋９の他方の手提げ部９ａをチップレシーバ２の係止部７に直接係止するのではなく、係止部７に取り付けた取付バー１０を介して係止する。チップレシーバに対して取付バー１０を着脱可能に取り付けるために、取付バー１０の一端を係止部７に掛けて、取付バー１０の一端より先の部分は適度に折り曲げ、その先端はチップレシーバ２の裏側に設けられた図示しない例えば穴等の結合部に嵌め込む構成とする。取付バー１０の形状は波状に形成されているのが好都合であり、波状に形成することにより収集袋９の他方の手提げ部９ａを取付バー１０の複数の谷部１０ａに掛け渡すことが可能となり、収集袋９の開口面積を広くするよう調節することが可能となる。このような調節は収集袋９の大きさの違いによっても必要な場合がある。同様な目的のために、取付バー１０をハンドガード３の係止部８にも取り付ける構成としてもよい。このように収集袋９をヘッジトリマ１へ装着することにより、収集袋９を刈り刃６の下に大きく開口させることができ、刈り取られた枝葉はチップレシーバ２によって収集袋９の開口へ導かれ、収集袋９の中へ落下し収集される。
【００１２】
本発明に係る取付バー１０の形状は、上述した実施の形態に限定されず、種々の変形や改良が可能である。
【産業上の利用可能性】
【００１３】
本発明にかかるヘッジトリマは、簡単な構成で刈り取った枝葉を収集する収集袋を装着することができ、また、収集袋や袋取付部材である取付バーを容易にヘッジトリマに対して取り付けたり取り外したりすることができるものであるので、極めて有用である。
【図面の簡単な説明】
【００１４】
【図１】本発明にかかるヘッジトリマの第一の実施形態を示す斜視図である。
【図２】本発明にかかるヘッジトリマの第二の実施形態を示す斜視図である。
【符号の説明】
【００１５】
１      ヘッジトリマ
２      チップレシーバ
３      ハンドガード
４      ヘッジトリマ本体
５      フロントハンドル
６      刈り刃
７      チップレシーバの係止部
８      ハンドガードの係止部
８ａ    孔
９      収集袋
９ａ    手提げ部
１０    取付バー
【図１】
2010148357.tif 000003
【図２】
2010148357.tif 000004